(57)【要約】【課題】ｘｅ管と反射笠に確実に接触させ、かつ小型のストロボ構成を提供する。【解決手段】光学部材に爪部を設け、発光管と反射笠からなる光源手段を収納する筐体に設けられた孔部に前記爪部を嵌合し、前記光源手段と光学部材と筐体とを一体的に構成するとともに、前記光学部材と発光管の間に弾性部材を配置し、発光管を反射笠に押し付ける。【選択図】　　　図２
2004012490.tif 000002
【特許請求の範囲】
【請求項１】
少なくとも発光管と、該発光管の光を反射する反射笠から構成される光源手段と、前記発光管の前面に設けられた光学部材を介して前記光源手段からの光束を所定の照射角の照射光として照射する照明装置において、
前記光学部材に設けられた爪部と、前記光源手段を収納する筐体と、該筐体に設けられた孔部とが設けられ、前記爪部と孔部が嵌合した状態で、前記光源手段と光学部材と筐体とを一体的に構成するとともに、前記光学部材と発光管の間に弾性部材を配置したことを特徴とする照明装置。
【請求項２】
少なくとも発光管と、該発光管の光を反射する反射笠から構成される光源手段と、前記発光管の前面に設けられた光学部材を介して前記光源手段からの光束を所定の照射角の照射光として照射する照明装置において、
前記光学部材に設けられた爪部と、前記光源手段を収納する筐体と、該筐体に設けられた凹部とが設けられ、前記爪部と凹部が嵌合した状態で、前記光源手段と光学部材と筐体とを一体的に構成するとともに、前記光学部材と発光管の間に弾性部材を配置したことを特徴とする照明装置。
【請求項３】
上記弾性部材は上記発光管の端部に一体的に配置されることを特徴とする請求項１または２に記載の照明装置。
【請求項４】
上記弾性部材は上記光学部材の端部に一体的に配置されることを特徴とする請求項１または２に記載の照明装置。
【発明の詳細な説明】
【０００１】
【発明の属する技術分野】
本発明はカメラのストロボ等の照明装置に関するものである。
【０００２】
【従来の技術】
近年では、使い勝手の良さから自動発光ストロボを内蔵したカメラが一般化している。ストロボ発光部は、発光管としての細長い円柱状のＸｅ（キセノン）管と、Ｘｅ管から被写体側とは反対側に発光した光線を被写体側に反射させるためにＸｅ管の背面側を覆う反射笠とＸｅ管から発光した光を撮影画角に対応した照射範囲に効率良く導光するための光学部材を有して構成されている。反射笠は、表面が鏡面処理されたＡｌ（アルミ）の板材が使用されている。Ｘｅ管は円柱状のガラス管の中にＸｅガスを満たして作られ、ガラス管の両端にはプラスとマイナスの端子が形成されている。Ｘｅ管のガラス表面には、両極近傍を除いた中央部に透明の導電性のコーティングが施されており、このコーティングはトリガ電極として用いられる。
【０００３】
Ｘｅ管を発光させるには、Ｘｅ管の両端に約２８０〜３３０Ｖに充電された主コンデンサを接続するとともに、トリガ電極に数ｋＶのパルス電圧をかけてＸｅ管内部のＸｅガスを励起させ、主コンデンサの充電エネルギーをＸｅ管を介して放電させて光エネルギーに変換させる。
【０００４】
トリガ電圧を印加する手段としては、反射笠を金属部材（アルミ）で作り、反射笠とＸｅ管のトリガ電極部を接触させて反射笠に直接トリガ電圧を印加する手法が多用されている。この場合、反射笠とトリガ電極とが確実に接触していないと、トリガ電圧を印加してもＸｅガスが励起せず、Ｘｅ管が発光しない。従って、Ｘｅ管を確実に発光させるためには、反射笠とトリガ電極との接触状態が重要になり、具体的には、反射笠とトリガ電極部の接触抵抗が数ＫΩ以下である必要がある。このとき、光学部材は撮影者等が誤ってＸｅ管や反射笠に触れないようにプロテクタの役割もしている。
【０００５】
このため、従来のストロボ装置では、トリガ電極部を有するＸｅ管を反射笠に押し当てるように押圧力を付与するようにしている。押圧力としては、例えば実公昭６１−１８５０２号公報に開示されているように、円形状あるいは円弧状の弾性体よりなるブッシングの一方を反射笠の側面部分に当てて、その弾性力を利用してＸｅ管を反射笠に押し当てるものもある。
【０００６】
また、実公昭６１−１８５０３号公報に開示されているように、両端に穴のあいた帯状の弾性部材をＸｅ管の両端に引っかけて反射笠の裏側を通し、弾性部材の弾性力によってＸｅ管を反射笠に引き寄せるものもある。
【０００７】
【発明が解決しようとする課題】
ところで、近年開発されている光学部材にライトガイド光学系を用いたストロボ装置は、側面反射笠を必要としない。そのために上述の従来例の実公昭６１−１８５０２号公報に開示されているように側面反射笠に弾性体よりなるブッシングの一方を反射笠の側面部分に当てることは不可能である。
【０００８】
また、カメラの小型化に伴ってストロボ装置も小型化が要求されている。したがって、上述の従来例の実公昭６１−１８５０３号公報に開示されているように弾性部材をＸｅ管の両端に引っかけて反射笠の裏側を通すと、その弾性体の分だけ奥行き方向が伸びてしまい、装置の大型化を招くことになる。
【０００９】
また、カメラ等の携帯機器にストロボ装置を組み込む時にはストロボ装置をユニット化しておいて欲しいという要望がある。
【００１０】
本発明は上記従来技術の問題点を考慮してなされたもので、小型で、なおかつ、携帯機器に組み込み易いストロボ装置を提供することを目的とする。
【００１１】
【課題を解決するための手段】
そこで本発明は、前記目的を達成するために本願における請求項１記載の発明によれば、少なくとも発光管と、該発光管の光を反射する反射笠から構成される光源手段と、前記発光管の前面に設けられた光学部材を介して前記光源手段からの光束を所定の照射角の照射光として照射する照明装置において、
前記光学部材に設けられた爪部と、前記光源手段を収納する筐体と、該筐体に設けられた孔部とが設けられ、前記爪部と孔部が嵌合した状態で、前記光源手段と光学部材と筐体とを一体的に構成するとともに、前記光学部材と発光管の間に弾性部材を配置したことを特徴とする。
【００１２】
また、前記目的を達成するために本願における請求項２記載の発明によれば、少なくとも発光管と、該発光管の光を反射する反射笠から構成される光源手段と、前記発光管の前面に設けられた光学部材を介して前記光源手段からの光束を所定の照射角の照射光として照射する照明装置において、
前記光学部材に設けられた爪部と、前記光源手段を収納する筐体と、該筐体に設けられた凹部とが設けられ、前記爪部と凹部が嵌合した状態で、前記光源手段と光学部材と筐体とを一体的に構成するとともに、前記光学部材と発光管の間に弾性部材を配置したことを特徴とする。
【００１３】
また、前記目的を達成するために本願における請求項３記載の発明によれば、請求項１または２記載の照明装置において、上記弾性部材は上記発光管の端部に一体的に配置されることを特徴とする。
【００１４】
また、前記目的を達成するために本願における請求項４記載の発明によれば、請求項１または２記載の照明装置において、上記弾性部材は上記光学部材の端部に一体的に配置されることを特徴とする。
【００１５】
以上のように、本発明によれば、ストロボ筐体に反射笠とＸｅ管が所定の位置に配置し、光学部材とＸｅ管の間に弾性部材を配置し、光学部材をストロボ筐体に押し込み、パッチン嵌合で固定するようにしたので、反射笠にＸｅ管を確実に当接することができるとともに、ストロボ装置を小型化することができる。
【００１６】
さらに、ストロボ装置を小型化したので、本発明が搭載されるカメラ全体も小型化を図ることが可能となる。
【００１７】
【発明の実施の形態】
以下本発明の実施の形態を図面を参照しながら説明する。
【００１８】
図１は本発明の照明装置をカメラ本体１の上辺部に設けたときの実施形態の要部概略図、図２は本発明の照明装置（ストロボ装置）の分解斜視図、図３は本発明の照明装置の斜視図、図４は本発明の照明装置の上面から見た図を示している。図５は本発明の照明装置の正面から見た図を示している。図６は本発明の照明装置の側面から見た図を示している。図中、１はカメラ本体、２はレンズ鏡筒部であり、撮影レンズを保持している。３はファインダである。４は照明装置であり、カメラ本体１の右上部に設けている。
【００１９】
図２において、５は被写体に光を発する発光管（Ｘｅ管）であり、このＸｅ管５の両端にはプラス電極５ａとマイナス電極５ｂとが形成されている。プラス電極５ａおよびマイナス電極５ｂにはそれぞれ不図示のリード線が接続されている。
【００２０】
６は円形状のゴム等の弾性部材よりなるブッシングであり、Ｘｅ管５の発光した光を遮らない位置までそれぞれ挿入される。
【００２１】
７はＸｅ管５からの放射光束のうち前方以外の、例えば後方（被写体側と反対方向に発する光を被写体側に反射させるための反射笠であり、集光反射する一次元方向に曲率を有し、表面が鏡面処理されたＡｌ（アルミ）の板材により形成されている。Ｘｅ管５の表面には両端部近傍を除いて、導電性コーティング（不図示）が施されている。導電コーティングと反射笠７とが接触しているので、反射笠７がＸｅ管５のトリガ電極になる。反射笠７には、トリガ電極である反射笠７にトリガ電圧を印加するためのリード線（不図示）を接続するための接続部７ａがある。
【００２２】
８はＸｅ管５から直接入射した光束及び反射笠７で反射して入射した光束を所定形状の光束として集光し、被写体側へ撮影に必要な画角に効率良く照射する照明光束導光用の光学部材（ライトガイド）であり、アクリル等の透明樹脂またはガラスより形成される。
【００２３】
ここで、上記光学部材（ライトガイド）を用いたストロボ装置は、一般的に発光管（Ｘｅ管）とライトガイドを近接させることにより、効率をほとんど落とすことなく小型化が図れるため、発光管の発する熱の影響を受けない程度離すだけの設定をしていることが多い。したがって、ライトガイドと発光管の空気間隔は極めて小さいことになる。
【００２４】
９はストロボ発光部を保持するストロボ筐体（装置筐体）であり、非導電性の樹脂により形成されている。ストロボ筐体９の上下には孔部９ａが形成されている。
【００２５】
また、上記ライトガイド８にはライトガイド８をストロボ筐体９に固定するためのパッチン爪（係合爪）８ａが一体に形成されている。
【００２６】
図３において、照明装置４はストロボ筐体９に反射笠７と弾性部材よりなるブッシング６と一体的になったＸｅ管５が所定の位置に配置され、ライトガイド８をストロボ筐体９に押し込み、ライトガイド８のパッチン爪８ａがストロボ筐体９の孔部９ａにパッチン嵌合（ばね力を利用したコレットチャック式クランプ嵌合）することにより固定される。
【００２７】
このとき、弾性部材よりなるブッシング６と一体的に構成されるＸｅ管５は、ライトガイド８とＸｅ管５の空気間隔が小さいことから、弾性部材よりなるブッシング６の大きさを大きくする必要がなく、ストロボ筐体９の後方にはみ出すことなく、ライトガイド８がストロボ筐体９にパッチン嵌合する際にライトガイド８により弾性部材よりなるブッシング６が押圧され、Ｘｅ管５は反射笠７に押し当てられる。こうして、ストロボ装置の奥行きを大きくすることなしに、Ｘｅ管５を反射笠７に確実に密着することができ、Ｘｅ管５は確実に発光することができる。
【００２８】
ここで、本発明は、ストロボ筐体９にライトガイド８がパッチン嵌合するするために孔部を有する照明装置を用いて説明したが、本発明はこれに限定されるものではなく、ストロボ筐体９にライトガイド８がパッチン嵌合するするために凹部を設けても構わない。
【００２９】
また、本発明は、弾性部材よりなるブッシング６はＸｅ管５に一体的に取り付けられている照明装置を用いて説明したが、本発明はこれに限定されるものではなく、ライトガイド８に一体的に取り付けられていても構わない。
【００３０】
【発明の効果】
以上説明したように、本発明によれば、ストロボ筐体に反射笠とＸｅ管が所定の位置に配置し、光学部材とＸｅ管の間に弾性部材を配置し、光学部材をストロボ筐体に押し込み、パッチン嵌合で固定するようにしたので、反射笠にＸｅ管を確実に当接することができるとともに、ストロボ装置を小型化することができた。
【００３１】
さらに、ストロボ装置を小型化したので、本発明が搭載されるカメラ全体も小型化を図ることが可能となった。
【図面の簡単な説明】
【図１】本発明を搭載したカメラ
【図２】本発明を実施した照明装置の分解斜視図
【図３】本発明を実施した照明装置の斜視図
【図４】本発明を実施した照明装置の上面図
【図５】本発明を実施した照明装置の正面図
【図６】本発明を実施した照明装置の側面図
【符号の説明】
１　カメラ本体
２　レンズ鏡筒部
３　ファインダ
４　照明装置
５　Ｘｅ管
６　弾性部材よりなるブッシング
７　反射笠
８　ライトガイド
９　ストロボ筐体
【図１】
2004012490.tif 000003
【図２】
2004012490.tif 000004
【図３】
2004012490.tif 000005
【図４】
2004012490.tif 000006
【図５】
2004012490.tif 000007
【図６】
2004012490.tif 000008